Podtech/llm-jp-corpus-v4-ja_patent huggingface dataset:
(57)【要約】      （修正有）【課題】履き心地がよく、健康上の支障をきたさない快適な形状のハイヒール用中敷を提供する。【解決手段】中敷の形状は、踵から土踏まずにいたる立体形状にフィットしたものであり、基盤の裏側が平板状で踵部の下面が角状の突出片を残して湾曲して切り抜かれており、右足用の場合は土踏まず部分にフィットする左上がりの最長幅約５０ｍｍの傾斜面を構成し、その右側に約３０ｍｍ幅の右上がりの傾斜面を形成しており、両者の境界が溝を形成し、左上がりの傾斜面の右上部に膨出する球面が足幅の中央に向かい垂下していて、その上縁が山の裾野のごとく両側が傾斜しているが、全体としてはやや右下がりをしており、タテの長さが通常の中敷基盤のほぼ半分の長さをなして、左足用の中敷は右足用の中敷と左右対象の形状をなしている。【選択図】図３
0003173698.tif 000002
【実用新案登録請求の範囲】
【請求項１】
ハイヒール用中敷（インソール）として、踵から土踏まずにいたる立体形状にフィットしたものであり、基盤の裏側が平板状で踵部の下面が角状の突出片を残して湾曲して切り抜かれており、右足用の場合は土踏まず部分にフィットする左上がりの最長幅約５０ｍｍの傾斜面を構成し、その右側に、約３０ｍｍ幅の右上がりの傾斜面を形成しており、境界が溝を形成していて、左上がりの傾斜面の右上部に膨出する球面が足幅の中央に向かい垂下していて、その上縁が山の裾野のごとく両側が傾斜しているが、全体としてはやや右下がりをしており、全体はタテの長さが通常の中敷基盤のほぼ半分の長さをなして、左足用の中敷は右足用の中敷と左右対象の形状をなしていることを特徴としている。
【考案の詳細な説明】
【技術分野】
【０００１】
本考案は履き心地の良いハイヒール用中敷の形状に関するものである。
【背景技術】
【０００２】
従来から靴の中敷（インソール）は伝統的に足裏に接する部分を包括する形状を基板とするものが一般的で、ハイヒール用の中敷きにおいても同様で、足裏爪先方向に滑りやすく、指先を損傷したり、指部を捻挫することもあり、脚部や腰部に変調をきたすこともあるので、はやくから中敷の改善が望まれてきたが、充分に解決するものが現れていない。従来のものを展望すれば、特許文献１にはの中敷きの材料中に銅粉または銅片を混入して殺菌力を賦与しており、特許文献２には中敷きの形状として、通常の形状からなる足形面が細かい凹凸のある銅板からなり、周縁の左右両側に各３カ所間隔をおき折り曲げ面を構成し、土踏まずの位置を隆起してあるという。また、特許文献３には中敷き基板に多数の通孔をく穿設し、基板表面に多数の小突起と土踏まず用に数個の磁石入り突部を設けてあり、銅製脱臭剤も配装してあるというが効果は不明である。特許文献４には足裏形状に適合する金属製の敷板に隆起を多数設け、裏面に保護板を取着し周縁を突出してあるというが効果は不明である。このように、履き心地に関する改善のものは殆どなく改善が望まれれてきている。
【先行技術文献】
【特許文献】
【０００３】
【特許文献１】実開昭５４ー２７８３７
【特許文献２】実開平３−１０４３２４
【特許文献３】実開昭５３ー１５８４５１
【特許文献４】実開昭５３ー１４８８４９
【考案の概要】
【考案が解決しようとする課題】
【０００４】
本考案者はハイヒール用中敷として、履き心地がよく、健康上の支障をきたさない快適な形状のものが得られるようにせんとするものである。
【課題を解決するための手段】
【０００５】
ハイヒール用中敷（インソール）として、踵から土踏まずにいたる立体形状にフィットしたものであり、基盤の裏側が平板状で踵部の下面が角状の突出片を残して湾曲して切り抜かれており、右足用の場合は土踏まず部分にフィットする左上がりの最長幅約５０ｍｍの傾斜面を形成し、その右側に、約３０ｍｍ幅の右上がりの傾斜面を形成しており、境界が溝を形成して、左上がりの傾斜面の右上部に膨出する球面が足幅の中央に向かい垂下していて、その上縁が山の裾野のごとく両側が傾斜しているが、全体としてはやや右下がりをしており、タテの長さが通常の中敷基盤のほぼ半分の長さをなして、左足用の中敷は右足用の中敷と左右対象の形状をなしていることを特徴としている。
【０００６】
本考案のハイヒール用の中敷基板は、右足用の場合は右足の土踏まず部がフィットする形状の左上がりの傾斜面を構成しており、その傾斜面の最長幅が約５０ｍｍで谷は細溝を形成して、約３０ｍｍ幅の右上がりの傾斜面を形成し、左右両方の傾斜面の外縁が緩やかな弧状をなしており、左上がりの傾斜面の右上部に高さ約１０ｍｍの球状の膨出面が手前に垂下する形状をなしていて、その上縁は全体が右下がりで、中心の左右が緩やかに傾斜をしていて中敷き先端の境界を形成しており、全体として、通常の中敷き基盤のタテ半分位の長さをなしており、中敷きの上面は厚さ１ｍｍの合成皮革であり、左右の傾斜面を支持してＥＶＡ（エチレンと酢酸ビニルの共重合体の略称）の薄板で革面を補強してある。また、中敷の下面は厚さ３ｍｍのフェルト生地を平板状にして、滑り抵抗をもたせてある。そして左足用の中敷は右足用と左右対称の形状をなしている。
【考案の効果】
【０００７】
本考案の中敷は一般に懸念される爪先方向への移動がなく、履き心地がよく、安定感があり、健康上に支障をきたさすことがないから、使用者には充分な満足を与えるものと考える。とくにハイヒール用に好適な中敷であるが、これに準じれば一般用の靴にも適用可能と思われる。
【図面の簡単な説明】
【０００８】
【図１】ハイヒールに中敷を入れてある平面図（手前：左側用）
【図２】使用状態における中敷きのかかとの部分を示す図
【図３】左右の中敷の平面図
【図４】右用の中敷を左側から見た図
【図５】左用の中敷を爪先から見た図
【図６】右用の中敷を爪先から見た図
【考案を実施するための形態】
【０００９】
本考案による中敷の表面には合成皮革を使用し、下面に滑り止め性のあるフェルトを使用しており、土踏まず用の幅のある勾配や左右で対向する少ない幅の勾配の裏面にはＥＶＡ樹脂のシートで図示内容のものを成形して適宜使用しているので、使用感がすこぶるよろしい。
【実施例】
【００１０】
実施例によるの製品を図１ないし図６の写真で紹介してある。
【産業上の利用可能性】
【００１１】
本考案の中敷は現に多くの使用者に好評を得て、満足を与えている。
【図１】
0003173698.tif 000003
【図２】
0003173698.tif 000004
【図３】
0003173698.tif 000005
【図４】
0003173698.tif 000006
【図５】
0003173698.tif 000007
【図６】
0003173698.tif 000008
(57)【要約】      （修正有）【課題】装飾体を衣服上に取り付けるに、着衣者自身が着衣後に、装飾体の位置や状況の修正を加える必要が生じた際、従来品は取り外しや取り付けが容易でなく、時間を要した。簡易に着脱が可能な取付具を提供する。【解決手段】装飾体を上から剛性保持部１で押さえ、下から衣服を通したピン２にバネ部３で押止力を与え、装飾体と衣服の両者を支承する。装飾体の着脱は剛性保持体とピン支持部の端部に設けられたレバー部を押圧し、押止力を解けば、容易に取り外し、取り付けができる。【選択図】図１
0003173656.tif 000002
【実用新案登録請求の範囲】
【請求項１】
橋架状剛体保持部（１）と、橋架状剛体保持部の一端部近傍に設けられたバネ駆動部（３）を、介して剛体保持部に並設された、ピン部（２）及びピン支持部（４）とは共に梃子機能を有し、剛体保持部（１）とピン部（２）で装飾体と衣服を挟着させることを特徴とする装飾体取付具。
【考案の詳細な説明】
【考案の詳細な説明】
【技術分野】
【０００１】本考案は、衣服上に掛けられるスカーフ、マフラー、ショール、ネッカチーフ等の装飾体取付具に関する、服装上の装いに大きなチャームポイントを与える装飾具、スカーフ、マフラー、ショール、ネッカチーフ等の乱れを事前に抑え、安全で、且つ、簡易に着脱が可能な取付具を提供する。
【背景技術】
【０００２】従来、衣服への装飾体や記章付け等の着脱は安全ピン（参考文献１）や嵌入式止め具（参考文献２）で行う物があった。しかし、これらの留め具は着脱に手間がかかり、装飾体の位置直しなどを着衣者自身が実行する際、意に沿う状態を作り出すには容易でなかった。又、取り付け具の形状が発する装飾体への乱れが装飾体の本来の目的たる装いに支障をきたす場合があった。
【先行技術文献】
【特許文献】
【０００３】
【特許文献１】実用新案登録第３１０８１６４
【特許文献２】特許公開２００１−２９９４１３
【考案の概要】
【考案が解決しようとする課題】
【０００４】布地でなる装飾体を被取り付け体である衣服上に安全で、且つ、容易に着脱が可能で、位置変更や方位修正を着衣者自身が容易に再現できる取付具を提供する。
【課題を解決する手段】
【０００５】本考案の装飾体取付具は装飾体を上部より押止する橋架状剛体保持部（１）と橋架状剛体支持部の一端近傍に設けられたバネ機構部（３）と、駆動バネ部を介して保持部と並設されたピン部（２）及びピン支持部（４）は梃子機能を有し、橋架状剛体保持部（１）とピン部（２）で装飾体を挟着する構造にある。
【０００６】装飾体を衣服上の所定の位置に設置し、橋架状剛体保持部一端の第一レバー部（５）と、バネ部を介して保持部と並設されたピン支持部（４）の一端にある第二レバー部（６）を押動し、梃子機能により、保持部とピン支持部の先端を開き、装飾体の表より、装飾体取付具のピン部を刺し入れ、下部の衣服を通した後、押動レバー部を弛め、装飾体上部より橋架状剛体支持部が衣服に押止し、下部よりピン部が衣服及び装飾体を挟着し、装飾体の状態が保持される。位置ずれや型くずれがなく、着衣者の意とする形で止められる。
【０００７】ピン部と剛体保持部（１）はバネ部を介して、挟持状態にあり、装飾体を上部より押止した剛体保持部と衣服を通したピンが下部よりバネの復元力で装飾体と衣服を圧して留めているに過ぎないので、現状のまま、レバー部を押動し、ピン部と支持部の押厚を緩め、装飾体取付具を引けば、取付具は容易に取り外せる。
【０００８】本取付具のピン部はバネ部の作用を利用してピンに復元力を持たせた構造となっており、バネ部を開放したときに、ピンは逆に閉じた状態になる。この構造からピン部を下部の衣服に挿入させるときは、バネ部を僅かに閉じて、ピン部が本体保持部（１）から離れ下向き状態に入ったとは云え、ピン方向は皮膚側から衣服側に向いており、安全ピンのように挿入時にピン先が衣服側から皮膚側へ向かう事無く、着脱時には安全に操作できる。
【考案の効果】
本取付具は留め針を通し、上より押さえる簡単な構造で、着脱も容易で着衣者自身で簡単に乱れの修正や変更が可能である。上部より押止する橋架状剛体保持部（１）の湾曲度により、薄物のスカーフ等から厚物のマント類の装飾体取付具として多用途に活用可能である。
【図面の簡単な説明】
【図１】本考案の斜視図である。
【図２】本考案の背面図である。
【図３】本考案の側面図である。
【図４】本考案の底面図である。
【図５】本稿案の正面図である。
【考案の実施するための形態】
【実施例】
【０００９】橋架状剛体保持部（１）は、金属、樹脂、植物、ガラス、石等の剛体で成り、形状は平坦、ないし適度な湾曲を有する太線か板状をなし、切断・研磨等の加工或いは成型工程を経て製作される。保持部表面には飾り付けもできる構造でもあり、上部よりスカーフ等の装飾体を押さえる。下部より衣服を保持するピン部（２）は鉄、銅ないし貴金属、又はその合金からなる金属線状からなり、先端は針状をなし、根元はピン支持部（４）に、嵌挿させる。橋架状剛体保持部（１）とピンの支持部（４）は各レバー部近傍に設けられたバネ駆動部（３）を介して挟持される。バネ駆動部（３）は支持体と保持体に設けられた枢支軸受部を通る支軸に捲着されたコイル状バネの作用を利用して機能させる。
【符号の説明】（１）・・・橋架状剛体保持部
（２）・・・ピン部
（３）・・・バネ駆動部
（４）・・・ピンの支持部
（５）・・・第一レバー部
（６）・・・第二レバー部
【図１】
0003173656.tif 000003
【図２】
0003173656.tif 000004
【図３】
0003173656.tif 000005
【図４】
0003173656.tif 000006
【図５】
0003173656.tif 000007
(57)【要約】      （修正有）【課題】簡単な構造で、空気を清浄化することができる空気清掃機を提供する。【解決手段】大きなセラミック管の入り口には、送風機を持ち、出口付近には殺菌燈を持ち、またその管の中央部には、内側にニクロム線、外側には金属網群と穴のあいたセラミック群とを備えた小さなセラミック管をもつ。【選択図】図１
0003173659.tif 000002
【実用新案登録請求の範囲】
【請求項１】
大きなセラミック管の入り口には、送風機を持ち、出口付近には殺菌燈を持ち、またその管の中央部には、内側にニクロム線、外側には金属網群と穴のあいたセラミック群とを備えた小さなセラミック管をもつ構造の空気清掃機
【考案の詳細な説明】
【考案の利用分野】
【０００１】    環境衛生に関するものである。
【背景技術】
【０００２】      人はみなきれいな空気のところに住んでいたいという願望があるものである。そこで汚れた空気をきれいな空気に変える努力が色々と試みられてきているのである。
まず材料はいろいろの植物、金属、動物性の物、ビニールや化学作品等等である。それらを使って細い隙間を無数に作り、その隙間を通る汚れた空気は吸着、濾過されて、きれいな空気に変わっていくのである。その他近頃はイオンを使って空気をきれいにする空気清浄機もでてきている。また我々が以前に考案した空気清掃機もあるが、これは十数枚の高熱の金属網群の中に空気を送り焼却濾過して空気をきれいにするものであるが、これを室内で使用し寒天培地を使い細菌の繁殖具合をみてみると、本機使用時間３０分、６０分と菌数も次第に減り２時間後には細菌のコロニーはほとんど無い状態となっているが黴類はなかなか強く３時間使用後も消滅しない例も多々ありさらに改良の要があると思われる。
【本案が解決しょうとする課題】
【０００３】    我々が作った空気清掃機の効果をみてみる場合どのくらいきれいになったかを目でみても耳できいても判定することが中々むつかしい。そこで室内の細菌の数を測定してその基準として用いる訳である。微細なゴミや細菌は本機の使用時間につれて減少し２時間後にはほとんど消滅するという成績を得ているがただ黴類に対しては効果が薄く使用２時間３時間後も中々消滅しない例も多くある。猶効果判定には寒天培地に生える細菌の数を調べて物さしといるのである。
【課題を解決しようとする手段】
【０００４】    ニクロム線を中に入れた小さなセラミック管の外側に金属網群およびたくさんの隙間を持ったセラミック板群を備えたものを作りこれを大きなセラミック筒の中に収め作るのである。使用にあたってはこの大きなセラミツク管に向かって空気を送りこむかである。また出口付近の殺菌燈の光をあびて出てきた空気はきれいになってでてくるのである。大きなセラミック管の入り口には送風機、出口には殺菌燈を設置するのは前の機種と同様である。
【０００５】そこでこの装置に電源をいれると、送風機は大きなセラミック管に空気を送り込む。その空気はまず高温の隙間をもつセラミック板、および金属網群に接触する。そして空気にふくまれた微細なゴミ、細菌、カビの菌糸、胞子、そして厄介なＭＲＳＡ菌もこの高温のセラミック板や金属網群に触れて焼却、濾過されるのである。そしてまたおおきなセラミック管内の殺菌燈もその役目を果たすのである。かくしてきれいな空気がおくられ、部屋は清浄化されるのである。
【実施例】
【０００６】    内径５ｃｍのセラミック管の中にニクロム線を入れる。またその外側に数個の金属網群および隙間をたくさん持つセラミック板群を設置する。そして別に用意した１５ｃｍ×１５ｃｍの角型の大きなセラミック管の中央部にそれを入れるのである。そしてその大きなセラミック管の入り口には送風機、そしてその出口付近には殺菌燈を設置する。【０００７】      そして電源をいれると空気は大きなセラミック管の中に入り、高温度になった金網群やセラミック板群に接触し空気中に含まれる微細なゴミ、細菌、カビの菌糸、胞子、並びに厄介なＭＲＳＡ菌は焼却濾過され消滅するのである。さらに又出口付近にある殺菌燈もその役目を果たす事になるのである。かくて部屋はきれいな空気が得られ部屋は清浄化されるのである。
【考案の効果】
【０００８】    本考案の空気清掃機を使用すると、空気中に含まれた微細なゴミ、細菌、カビの菌糸胞子、厄介なＭＲＳＡ菌等は焼却、濾過され部屋の空気は清浄化されることになるのである。近頃問題のビールスに対してもある程度の効果があるだろうと期待されている。その構造は簡単、製作は容易、安価である。
【図面の簡単な説明】
【０００９】
【図１】  斜位図
【図２】  正面図
【図３】  側面図
【図４】  水平面図
【記号の説明】
Ａ・・・・・・・・・・・  電源
Ｂ・・・・・・・・・・・  小さなセラミック管
Ｃ・・・・・・・・・・・  大きなセラミック管
Ｄ・・・・・・・・・・・  空気の出口
Ｅ・・・・・・・・・・・  空気の入り口
Ｆ・・・・・・・・・・・  送風機
Ｇ・・・・・・・・・・・  セラミック板群
Ｈ‥・・・・・・・・・・  金属網群
ｊ・・・・・・・・・・・  ニクロム線
【図１】
0003173659.tif 000003
【図２】
0003173659.tif 000004
【図３】
0003173659.tif 000005
【図４】
0003173659.tif 000006
(57)【要約】      （修正有）【課題】印鑑は、木や合成樹脂で構成されたものであり、水没、火事に合うと使用不可能になるという問題点があるとともに、空間内にも水が浸入するおそれがあるものであり、個人が大事にしているものを収納する収納場所としては不適切なものであり、水、海水、火事、打撃に対しても影響を受けることが無い印鑑を提供する。【解決手段】一端が閉塞され、他端が開口され内部に収納部２を備えたチタン製の筒体３と、その筒体の開口端に形成されたねじ部５に螺合されるねじ部６を備えたチタン製の蓋体７とからなり、上記蓋体の上面に形成された平坦面は印鑑８となっている。【選択図】図３
0003173655.tif 000002
【実用新案登録請求の範囲】
【請求項１】
一端が閉塞され、他端が開口され内部に収納部を備えたチタン製の筒体と、その筒体の開口端に形成されたねじ部に螺合されるねじ部を備えたチタン製の蓋体とよりなり、上記蓋体の上面に形成された平坦面は印鑑となっていることを特徴とする印鑑。
【請求項２】
上記蓋体にはキャップが着脱自在に設けられている請求項１記載の印鑑。
【考案の詳細な説明】
【技術分野】
【０００１】  本考案は、印鑑に関するものであり、特に、本体内に形成した空間内に重要な物を収納できるようにした印鑑に関するものである。
【背景技術】
【０００２】  従来より印鑑の材質と言えば、象牙、水牛、柘が一般的であったが、このような材質の印鑑は、水、海水、火に弱く、水没、火事に合うと使用不可能になるという問題点があった。【０００３】  また、個人が大事にしているものを自宅等に保管していると、大地震・津波により自宅が損壊したり、流されてしまい紛失してしまうおそれがあり、手持ちのバッグに収納していると、その個人が大事にしているものも水没、火事により使用不可能になるという問題点があった。【０００４】  特許文献１には、印鑑の本体内に形成した空間内に彫刻像を収納するようにしたものが示されているが、印鑑は、木や合成樹脂で構成されたものであり、水没、火事に合うと使用不可能になるという問題点があるとともに、空間内にも水が浸入するおそれがあるものであり、個人が大事にしているものを収納する収納場所としては不適切なものであった。
【先行技術文献】
【特許文献】
【０００５】
【特許文献１】実用新案登録第３００１０６１号
【考案の概要】
【考案が解決しようとする課題】
【０００６】  本考案は、上記の問題点に鑑みてなされたものであり、水、海水、火事、打撃に対しても影響を受けることが無い印鑑を提供することにある。
【課題を解決するための手段】
【０００７】  本考案に係る印鑑は、一端が閉塞され、他端が開口され内部に収納部を備えたチタン製の筒体と、その筒体の開口端に形成されたねじ部に螺合されるねじ部を備えたチタン製の蓋体とよりなり、上記蓋体の上面に形成された平坦面は印鑑となっていることを特徴とする。
【考案の効果】
【０００８】  本考案に係る印鑑は、一端が閉塞され、他端が開口され内部に収納部を備えたチタン製の筒体と、その筒体の開口端に形成されたねじ部に螺合されるねじ部を備えたチタン製の蓋体とよりなり、上記蓋体の上面に形成された平坦面は印鑑となっていることを特徴とするものであるから、水、海水、火事、打撃を受けても筒体及び蓋体は変形せず、蓋体の平坦面に形成された印鑑を使用することが可能であるという効果があり、更に、筒体の内部には浸水しないので、収納物の損傷を防止することができるという効果がある。
【図面の簡単な説明】
【０００９】
【図１】図１は、本考案の印鑑の正面図。
【図２】図２は、本考案の印鑑の筒体の内部を示す一部を断面した正面図。
【図３】図３は、本考案の印鑑の使用状態を示す一部を断面した正面図。
【考案を実施するための形態】
【００１０】  以下、本考案に係る印鑑について、図面に基づいて、詳説する。
【００１１】  印鑑１は、一端が閉塞され、他端が開口され内部に収納部２を備えたチタン製の筒体３と、その筒体３の上端に形成された開口部４に形成されたねじ部５に螺合されるねじ部６を備えたチタン製の蓋体７とよりなり、上記蓋体７の上面に形成された平坦面は印鑑８となっている。チタンは、水、海水、火事、打撃に強い材質であり、水、海水、火事、打撃を受けても筒体３及び蓋体７は変形しないものである。また、チタンは、アレルギーの無い材質であり、筒体３の開口部４に形成されたねじ部５と、蓋体７の下端小径部９に形成されたねじ部６を螺合することで、収納部２を密閉状態にすることができるものである。
【００１２】  収納部２は、直径：１２ミリメートル、深さ：３２ミリメートルに形成されており、収納部２の底部には防腐剤１０が収納されており、収納部２に収納したものの腐敗を防止している。収納物としては、臍の緒、爪、髪の毛、カードのパスワード、金庫のナンバー等を自分だけの記憶記号（紛失時に安全）で貯蔵する。
【００１３】  蓋体７にはキャップ（図示せず）が必要に応じて、着脱自在に設けられている。キャップは、チタン製が望ましいが、合成樹脂製でも構わないものである。
【００１４】  印鑑１のサイズは、直径：１２．０ミリメートル、長さ：６０ミリメートルのものと、直径：１３．５ミリメートル、長さ：６０ミリメートルのものと、直径：１５．０ミリメートル、長さ：６０ミリメートルのものとを選択可能となっている。
【符号の説明】
【００１５】１    印鑑
２    収納部
３    筒体
５    ねじ部
６    ねじ部
７    蓋体
８    印鑑
【図１】
0003173655.tif 000003
【図２】
0003173655.tif 000004
【図３】
0003173655.tif 000005
(57)【要約】      （修正有）【課題】割ることで初めて中身を見ることができる容器を提供する。【解決手段】粘土、紙粘土又は石膏の型を合わせて作った卵型もしくは類似の球体型である。【選択図】図２
0003173654.tif 000002
【実用新案登録請求の範囲】
【請求項１】
開閉の為の機構を有しない粘土、紙粘土又は石膏製の卵型もしくは類似の球体型の容器
【考案の詳細な説明】
【技術分野】
【０００１】  本考案は卵型もしくは類似の球体型容器の提供を目的とする。
【背景技術】
【０００２】従来の卵型もしくは類似の球体型の容器には、開閉を行う為の蓋などが容器本体に付属しておるが、本考案による卵型もしくは類似の球体型容器のように開閉の為の機構を有しておらず、割ることで初めて中身を見ることの出来るものは無かった。
【考案の概要】
【考案が解決しようとする課題】
【０００３】本考案における卵型もしくは類似の球体型容器は、開閉の為の機構を有しておらず、開封後の再利用は出来ない仕様になっている。内部の物品を取り出すためには、卵型もしくは類似の球体型容器そのものを破壊する必要が有り、破壊された容器は再利用が出来ない。
従来の容器は開閉の為の機構を有しておる事が一般的であり、このような容器は一般的では無かった。
【課題を解決するための手段】
【０００４】本考案における卵型もしくは類似の球体型容器は、内部に空間のある粘土、紙粘土または石膏で作られた卵を半分に割った形の半球体の型を二つ接合された状態で構成される。
卵型もしくは類似の球体型の中心で縦に分離した型を二つ用意し、粘土、紙粘土または石膏を流し込み、その上から、押し込み型の卵型もしくは類似の球体型の半球体の型を設置する事で出来上がった半球体型の型を、粘土、紙粘土または石膏を用いて接着を行う事で、内部に空間のある、卵型もしくは類似の球体型の容器として利用が可能である。
【考案の効果】
【０００５】本考案における卵型もしくは類似の球体型容器を用いることで、従来の容器には無かった付加価値を備えた容器として提供が可能であり、新しい購買のマーケットを開くことが可能である。
【図面の簡単な説明】
【０００６】
【図１】  本考案の実施の形態による卵型もしくは類似の球体型容器の一構成例を示した外観図である。
【図２】  本考案の実施の形態による卵型もしくは類似の球体型容器の別の一構成例を示した外観図である。
【考案を実施するための形態】
【０００７】  本考案における卵型もしくは類似の球体型容器は、内部に空間のある卵型もしくは類似の球体型の半球体の型を二つ接合された状態で構成される。
卵型もしくは類似の球体型の中心で縦に分離した型を二つ用意し粘土、紙粘土または石膏を流し込み、その上から、押し込み型の卵型もしくは類似の球体型の半球体の型を設置する事で出来上がった半球体型の型を、粘土、紙粘土または石膏を用いて接着を行う事で、内部に空間のある、卵型もしくは類似の球体型の容器として利用が可能である
【００８】  図１は、本考案の実施の形態による卵型もしくは類似の球体型の容器の一構成例を示した外観図である。
卵型もしくは類似の球体型の容器１００は内部に空間１を有しており、内部に物品を収納出来るようになっておる。
【００９】  図２は、本考案の実施の形態による卵型もしくは類似の球体型の容器の他の構成例を示した外観図である。
卵型もしくは類似の球体型の容器２００は半球形の型として、分離した状態となっており、接合部２に
接着剤などを用いて接着を行い、卵型もしくは類似の球体型の容器として構成される。
【符号の説明】
【００１０】１      内部空間
２      接合部
１００  卵型もしくは類似の球体型容器
２００  卵型もしくは類似の球体型容器
【図１】
0003173654.tif 000003
【図２】
0003173654.tif 000004
(57)【要約】      （修正有）【課題】地震や大津波時更には大火災時に、サイレンや音声により緊急警報を発する拡声装置と電源システムを内装備した災害用屋外緊急警報函を提供する。【解決手段】天板を有する二層構造の枠体からなる函体に、ソーラー充電器と４方向に向けた４個のスピーカーを配設組み込み、蓋板部に、アンプとバッテリーを収蔵して各機器の配線をラジコンスイッチに結線した構造として緊急警報函体を形成する。該緊急警報函には、天板１を有する二層構造の枠体２を設け、天板１の表面には、ソーラー充電器３を設置し、枠体２の上段空域には、４個のスピーカー２ａ，２ｂ，２ｃ，２ｄを４方向に向けて配設する。また、枠体２の蓋板６を持つ下段空域には、アンプ４とバッテリー５を収蔵して各機器に配線した後、ラジコンスイッチ７に結線する。【選択図】図１
0003173657.tif 000002
【実用新案登録請求の範囲】
【請求項１】
天板（１）を有する二層構造の枠体（２）からなり、天板（１）の表面には、ソーラー充電器（３）を設置し、枠体（２）の上段空域には、４個のスピーカー（２ａ），（２ｂ），（２ｃ），（２ｄ）を４方向に向けて配設し、枠体（２）の蓋板（６）を持つ下段空域には、アンプ（４）とバッテリー（５）を収蔵して各機器に配線した後、リモートコントロールのラジコンスイッチ（７）に結線した災害用屋外緊急警報函の構造。
【考案の詳細な説明】
【技術分野】
【０００１】  本考案は、地震や大津波時更には大火災時に、サイレンや音声により緊急警報を発する拡声装置と電源システムを内装備した災害用屋外緊急警報函に関する。
【背景技術】
【０００２】  １０００年に一度の大津波とも云われる東日本大震災に於いて、多くの尊い人命を失ったが、その多くは、行政や警察消防からの避難指示等の緊急警報の伝達が一般民衆に瞬時に到達徹底しなかった点が強く反省されている。即ち、今回の震災で被害者が増えた原因のひとつに、場所によっては、住民に危険の緊急性が伝わらなかった場所が数多くあった点であり、更には、災害現場では、緊急避難を必死に呼びかけ誘導する行政や警察消防の職員自体が危険の真っ只中にあって、数多く犠牲となったことは痛ましい限りであり、その対策が喫緊の課題となっている。
【考案の概要】
【考案が解決しようとする課題】
【０００３】  即ち、特に災害現場では、警報を伝える地域が、広範囲になることから、行政や警察消防の職員自体の体を張っての肉声のみに頼ることは無理であり、職員の人数にも制限のある自治体では、所要箇所に随時常時配備することは、不可能に近い。【０００４】  本考案は、緊急時の警報や音声を大きく発声する拡声器とその電源装置を一体に組み込んでセットに構成した緊急函を予め多数準備して措き、町村行政区域の必要箇所の高所に常時設置して置くもので、津波や大火災等の緊急災害時にリモコンワンタッチのスイッチオンで一斉に緊急避難の拡声放送に対応せしめるもので、防災無線とも併用して避難指示の徹底をはかるものである。
【課題を解決するための手段】
【０００５】  本考案は、天板を有する二層構造の枠体からなる函体に、ソーラー充電器と４方向に向けた４個のスピーカーを配設組み込み、蓋板部に、アンプとバッテリーを収蔵して各機器の配線をリモートコントロールのラジコンスイッチに結線した構造として緊急函体を形成したもので、海岸線に位置する市町村自治体の多数の高層建物の屋上に常時設置して置き、大津波時にサイレンや音声により緊急警報を発して自動的に避難誘導するものである。なお、ラジコンスイッチは、タイムスイッチとし、一定の時間が過ぎれば自動的にスイッチが切れるようにし、ソーラー充電器は、斜めに傾斜可動式として太陽の向きに対応せしめ降雪対策とする。
【考案の効果】
【０００６】  本考案は、ソーラー充電器を有するバッテリーを電源としたアンプと拡声器を一体に収蔵した機器函を持ち運び自在の緊急函体に形成したので、これを、津波が予想される沿岸市町村等の自治体で多数準備し、津波緊急時に対応する高台や高い建物の屋上に常時設置してリモコンスイッチに結線して置けば、津波緊急時にスイッチオンするだけで役場や消防の職員が身を持って津波の押し寄せる現場に出向かなくとも、音声のみで瞬時に避難誘導の行動が取れ、誘導する職員の身の安全を図ると共に、４個のスピーカーが４方向向きに広範囲に遠方に向けて音声を浸透させ、住民に緊急避難の徹底を図ることができる効果がある。【０００７】  本考案は、長期間屋外に設置し置くものであるから、電源となるバッテリーは放電してしまう恐れがあるが、本願では、ソーラー充電器が太陽光により自然に自動的に常時充電しているので電源が切れることはない効果もある。
【図面の簡単な説明】
【０００８】
【図１】  本考案の全体の斜視図である。
【考案を実施するための最良の形態】
【０００９】  本考案は、天板を有する二層構造の枠体からなる函体に、ソーラー充電器と４方向に向けた４個のスピーカーを配設組み込み、蓋板部に、アンプとバッテリーを収蔵して各機器の配線をラジコンスイッチに結線した構造として緊急函体を形成したもので、海岸線に位置する市町村自治体の多数の高層建物の屋上に常時設置して置き、大津波時に緊急警報を発して自動的に避難誘導するものである。【００１０】  即ち、本考案は、天板（１）を有する二層構造の枠体（２）からなり、天板（１）の表面には、ソーラー充電器（３）を設置し、枠体（２）の上段空域には、４個のスピーカー（２ａ），（２ｂ），（２ｃ），（２ｄ）を４方向に向けて配設し、枠体（２）の蓋板（６）を持つ下段空域には、アンプ（４）とバッテリー（５）を収蔵して各機器に配線した後、ラジコンスイッチ（７）に結線した構造としものである。なお、ラジコンスイッチは、タイムスイッチとし、一定の時間が過ぎればスイッチが切れるようにするものである。【００１１】  本考案は、ソーラー充電器を有するバッテリーを電源としたアンプと拡声器を一体に収蔵した機器函を持ち運び自在の緊急函体に形成したので、これを、津波が予想される沿岸市町村等の自治体で多数準備し、津波緊急時に対応する高台や高い建物の屋上に常時設置してリモコンスイッチに結線して置けば、津波緊急時にスイッチオンするだけで役場や消防の職員が身を持って津波の押し寄せる現場に出向かなくとも、音声のみで瞬時に避難誘導の行動が取れ、誘導する職員の身の安全を図ると共に、遠方から住民に緊急避難の徹底を図ることができる。【００１２】  本考案は、長期間屋外に設置し置くものであるから、電源となるバッテリーは放電してしまう恐れがあるが、本願では、ソーラー充電器が太陽光により自然に自動的に常時充電しているので電源が切れることはない。【００１３】  ４個のスピーカー（２ａ），（２ｂ），（２ｃ），（２ｄ）は、４方向に向けて配設してあるから、４方向向きに広範囲に遠方に向けて音声を浸透させ、住民に緊急避難の徹底を図ることができると共に、津波襲来の現場に、消防団員が身を投じて住民を誘導する必要がないから、誘導作業に当たる緊急救急隊員の身の安全をも守ることができるものである。
【符号の説明】
【００１４】１  天板
２  枠体
３  ソーラー充電器
２ａ，２ｂ，２ｃ，２ｄ  スピーカー
４  アンプ
５  バッテリー
６  蓋板
７  ラジコンスイッチ
【図１】
0003173657.tif 000003
(57)【要約】      （修正有）【課題】袋への持ち手の取り付けが容易に行えるようにしてその自動取り付けをも可能とし、手提げ袋の製造効率を向上させる手提げ袋用持ち手片を提供する。【解決手段】プラスチックス製シート基材３の両端部分の一方側面それぞれに強粘着剤層５、５が付設され、それら強粘着剤層５、５面それぞれに離型シート７、７が貼り付けられて構成されてなる。【選択図】図１
0003173626.tif 000002
【実用新案登録請求の範囲】
【請求項１】
プラスチックス製シート基材の両端部分の一方側面それぞれに強粘着剤層が付設され、それら強粘着剤層面それぞれに離型シートが貼り付けられて構成されてなることを特徴とする手提げ袋用持ち手片。
【請求項２】
前記プラスチックス製シート基材がポリエチレン製である請求項１記載の手提げ袋用持ち手片。
【考案の詳細な説明】
【技術分野】
【０００１】  この考案は、手提げ袋用持ち手片の改良に関する。
【背景技術】
【０００２】  強度があって、かつ、防水性にも優れるということでプラスチックス製の手提げ袋が広く普及している。この種の手提げ袋にはプラスチックス製の持ち手が備えられ、その持ち手は従来においては通常手作業による熱圧着によって取り付けられていた。
【考案の概要】
【考案が解決しようとする課題】
【０００３】  上記熱圧着によって取り付ける場合には熱コテや治具を必要とし、かつ、持ち手を取り付ける袋部分を相対する袋部分から離して作業を行わなければならないので非常に手間がかり、このことがこの種手提げ袋の製造効率を著しく妨げていた。また、熱圧着の場合、上記のように持ち手を取り付ける袋部分を相対する袋部分から離す必要があり、さらに、マチがある袋（図５参照）ではそれが邪魔となる理由により、生産ライン上での機械による持ち手の自動取り付けが困難であった。くわえて、熱圧着による取り付けの場合には、用いる袋の材質も制限される問題があった。【０００４】  この考案は、袋への持ち手の取り付けが容易に行えるようにしてその自動取り付けをも可能とし、手提げ袋の製造効率を向上させることを目的とする。
【課題を解決するための手段】
【０００５】  この考案では、プラスチックス製シート基材の両端部分の一方側面それぞれに強粘着剤層が付設され、それら強粘着剤層面それぞれに離型シートが貼り付けられて構成されてなることを特徴とする手提げ袋用持ち手片を提供する。【０００６】  この考案の手提げ袋用持ち手片によれば、離型シートそれぞれを外し強粘着剤層部分それぞれを袋の所定位置に貼り付けるだけで容易に袋に持ち手を取り付けることができ、この作業は自動取り付け機によっても容易になされる。また取り付けが貼り付けるだけであるので種々材質の袋に取り付け使用できる。【０００７】  プラスチックス製シート基材はポリエチレン製のものが強度が大であって好適に使用できる。また、プラスチックス製シート基材の形態は一般の短冊状の他、適宜の形態とできる。
【考案の効果】
【０００８】  この考案によれば、持ち手の取り付けが容易に行えるようになって自動取り付け機による取り付けも可能となり、手提げ袋の製造効率が向上される。また、この考案の手提げ袋用持ち手片はどのような材質の袋にも取り付け使用できて便利である。
【図面の簡単な説明】
【０００９】
【図１】  この考案の手提げ袋用持ち手片の実施形態の斜視図
【図２】  この考案の手提げ袋用持ち手片の実施形態の部分拡大断面図
【図３】  この考案の手提げ袋用持ち手片の製造工程説明図
【図４】  この考案の手提げ袋用持ち手片を使用した手提げ袋の実施形態の正面図
【図５】  この考案の手提げ袋用持ち手片を使用した手提げ袋の他の実施形態の斜視図
【考案を実施するための形態】
【００１０】  図１はこの考案の手提げ袋用持ち手片の実施形態の斜視図、図２は同部分拡大断面図である。手提げ袋用持ち手片１は短冊形態のポリエチレン製シート基材３の両端部分の一方側面それぞれに強粘着剤層５が付設され、それら強粘着剤層５面それぞれに離型シート７のそれぞれが貼り付けられて構成されている。
【００１１】  図３は手提げ袋用持ち手片１の制作方法を示す。１０はシート基材３の材料シート１１のロール体であり、まず、このロール体１０より引き出し搬送される材料シート１１の両縁の上面それぞれに沿って塗布機により強粘着剤層５が連続して塗布形成され、さらにその強粘着剤層５面それぞれに沿ってテープ状の離型シート７が連続して貼り付けられていく。次に、上記強粘着剤層５、離型シート７が一体とされた材料シート１１が搬送方向に直交する方向において所定の幅で順次裁断されることで手提げ袋用持ち手片１が得られる。用いる材料シート１１の幅を適宜選択するとともに裁断幅を適宜選択することで、幅、長さを適宜とする所望の形態の手提げ袋用持ち手片１が得られる。
【００１２】  図４は手提げ袋用持ち手片１が取り付け使用された手提げ用袋２０を示す。手提げ用袋２０は上部の外面に持ち手２２が取り付けられている。手提げ用袋２０は上部の開口位置にジッパー２４を備える構成となっており、持ち手２２が手提げ用袋２０の上部の外面に取り付けられていることで、ジッパー２４が支障なく使用できるようになっている。持ち手２２は手提げ用袋２０の上部の内面に取り付けられてもよい。図５は手提げ袋用持ち手片１が取り付け使用された手提げ用袋３０の他の実施形態を示し、手提げ用袋３０は上部の外面に持ち手３２が取り付けられている。この手提げ用袋３０は両側内部に袋を大きく開くための一対のマチ３４を備えている。
【００１３】  上記持ち手２２、３２は上記手提げ袋用持ち手片１の離型シート７が取り外され強粘着剤層５が貼り付けられることで取り付けられ、このように、離型シート７を外し強粘着剤層５部分を所定位置に貼り付けるだけで容易に持ち手２２、３２が取り付けられて手提げ用袋２０、３０は完成される。その取り付け作業は人手によって行われてもよく、また、生産ライン上の自動取り付け機によって行われてもよい。持ち手２２、３２の取り付けは袋用持ち手片１の離型シート７が取り外し及び強粘着剤層５面での貼り付け動作のみにより行えるので、自動取り付け機によって支障なく行われる。図５に示すマチ３４を持つ手提げ用袋３０の場合も、そのマチ３４が邪魔となることがないので自動取り付けが可能となる。
【符号の説明】
【００１４】１  手提げ袋用持ち手片
３  シート基材
５  強粘着剤層
７  離型シート
【図１】
0003173626.tif 000003
【図２】
0003173626.tif 000004
【図３】
0003173626.tif 000005
【図４】
0003173626.tif 000006
【図５】
0003173626.tif 000007
(57)【要約】      （修正有）【課題】ケーキ受台に等分数に対応した切断位置をあらかじめ表示して切断を容易にしたケーキの下敷を提供する。【解決手段】ケーキを置いている台、皿、下敷きに等分数・目盛り・数字・文字・立体文字・点字・立体絵・絵・画像・立体画像を記入しておき、切り分ける際の目安を作る。またメッセージを記入できるようにし、祝い事などの場合にお店からのメッセージなどを記入できるようにする。【選択図】図１
0003173627.tif 000002
【実用新案登録請求の範囲】
【請求項１】
ケーキの下敷き、皿、台に等分数・目盛り・数字・文字・立体文字・点字・立体絵・絵・画像・立体画像記入または印刷・立体加工・点字加工がされている特徴を持つ
【考案の詳細な説明】
【技術分野】
【０００１】  本考案はケーキ販売店からお客にケーキが提供される際ケーキの下に敷いてあるケーキ台にあらかじめ等分数・目盛り・数字・文字・立体文字・点字・立体絵・絵・画像・立体画像を記入してある特徴を持つ。
【背景技術】
【０００２】  従来のケーキ台では切り分ける際に等分する数により切り方を考えなければいけなかった。そこで初めから等分数・目盛り・数字・文字・立体文字・点字・立体絵・絵・画像・立体画像を記入することに特徴を持つ
【先行技術文献】
【特許文献】
【０００３】なし
【特許文献１】なし
【特許文献２】なし
【非特許文献】
【０００４】
【非特許文献１】なし
【非特許文献２】なし
【考案の概要】
【考案が解決しようとする課題】ケーキ販売店からケーキを購入し食する人数分に切り分ける際に切り方を考えながら等分しなければならないものをケーキの下敷きに等分数・目盛り・数字・文字・立体文字・点字・立体絵・絵・画像・立体画像を記入することで切り方を考えず均等に切り分けができる特徴をもつ
【課題を解決するための手段】ケーキの下敷きに均等に切れるよう等分数・目盛り・数字・文字・立体文字・点字・立体絵・絵・画像・立体画像を記入する
【考案の効果】ケーキの切り分けが容易になる
【図面の簡単な説明】
【０００５】
【図１】ケーキが円形上の場合の請求項に基づく一例である
【図２】ケーキが長方形の場合の請求項に基づく一例である
【考案を実施するための形態】
【０００６】現行のケーキ皿、台、下敷きでは等分するための記入がされていなかったことから請求項に基づく記載を行う
【実施例】
【０００７】本考案は、家庭においてケーキを切り分ける際考える必要がなく楽に切ることができる特徴を持つ
【産業上の利用可能性】
【０００８】本考案はケーキに関する企業にて請求項に及ぶものに使用できる特徴を持つ
【符号の説明】１・・・・・・・何等分になるかの記載
２・・・・・・・切る目安となるライン
３・・・・・・・数字・点字・文字・立体文字・メッセージ・絵・立体絵・画像・立体画像などを印刷・立体加工・点字加工
【図１】
0003173627.tif 000003
【図２】
0003173627.tif 000004
【手続補正書】
【提出日】平成23年6月14日(2011.6.14)
【手続補正１】
【補正対象書類名】実用新案登録請求の範囲
【補正対象項目名】全文
【補正方法】変更
【補正の内容】
【実用新案登録請求の範囲】
【請求項１】
ケーキの下敷きまたは、皿または、台に対象の物を均等に切り分けるために「等分数」、「目盛り」、「数字」、「文字」、「立体文字」、「点字」、「立体絵」、「絵」、「画像」、「立体画像」のいずれかを「記入」または「印刷」、「立体加工」、「点字加工」のいずれかを施すことにより対象の物を均等に等分することを楽にする特徴を持つケーキの下敷きまたは、皿または、台。
【請求項２】
前記ケーキの下敷きまたは、皿または、台に「文字」、「絵」、「画像」、「立体画像」のいずれかを祝い事などの場合にメッセージや写真などで「記入」または「印刷」できるようにする特徴を持つ請求項１に記載のケーキの下敷きまたは、皿または、台。
【手続補正書】
【提出日】平成23年9月8日(2011.9.8)
【手続補正１】
【補正対象書類名】実用新案登録請求の範囲
【補正対象項目名】全文
【補正方法】変更
【補正の内容】
【実用新案登録請求の範囲】
【請求項１】
ケーキの下敷きまたは、皿または、台に対象の物を均等に切り分けるために等分数、目盛り、数字、文字、立体文字、点字、立体絵、絵、画像、立体画像のいずれかを記入、印刷、立体加工、点字加工のいずれかを施すことにより対象の物を均等に等分することを楽にする特徴を持つケーキの下敷きまたは、皿または、台。
(57)【要約】      （修正有）【課題】サビキの針に餌のオキアミが確実に刺さる小型魚の餌付け器を提供する。                    【解決手段】コの字形の台座を伏せた上面を餌皿とし、該餌皿の左右に入り口と出口を形成する側壁を、少なくとも出口において段差を有するように立設するとともに、台座の裏面に、スライド可能に設けた細長い溝をもつ二枚の調節板のそれぞれに三脚の突起部に嵌る結合部を有し細長い溝に通す蝶ネジにより調節板を固定して成る。【選択図】図４
0003173641.tif 000002
【実用新案登録請求の範囲】
【請求項１】
コの字形の台座を伏せた上面を餌皿とし該餌皿の左右に入口と出口を形成する側壁を、少なくとも出口において段差を有するように立設するとともに、前記台座の裏面に、細長い溝をもつ二枚の調節板をスライド可能に設けた接続板を固定し、使用する三脚を合わせて装着出来る事を特徴とする小型魚の餌付け器。
【考案の詳細な説明】
【技術分野】
【０００１】
本考案は、小型魚の餌付け器に関するものである。                                                        
【背景技術】
【０００２】
基台上には左右一対の側壁を立設し、各側壁の前後両端縁を丸みを帯びた中空筒状態に形成し、各中空状態は上端を閉鎖すると共に
下端を下方に開口し、相対向する前後一対の中空筒状体間には隙間を設け、前後一対の中空筒状体間における基台上面を上方に膨出させたことを特徴とする餌付け器、或いは、刺し餌が投入される底部を囲う側壁を立設し、この側壁の任意の相対する位置に、側壁の上端から前記底部の上面近傍までの深さの切り込みを設け、この相対する位置の切り込み間に釣り針が取り付けられたつり糸を通して、前記釣り針に刺し餌をつける餌付け器において、前記相対する位置の切り込みの少なくとも一方が、独立した複数の切り込みからなることを特徴とする餌付け器が知られている。
【先行技術文献】
【特許文献】
【０００３】
【特許文献１】実願平５−２６９４７
【特許文献２】特開２００１−３３３６７９
【考案の概要】
【考案が解決しようとする課題】
【０００４】
前記公知の餌付け器は、サビキの通る隙間が余りにも広すぎて、サビキの針に餌であるオキアミが刺さらないと云う問題があり、これを解決する餌付け器を提供することが課題である。この問題を解決する餌付け器が同一出願人によって特許出願がされているが、本考案は該特許出願に関わる餌付け器の改良が課題である。
【課題を解決するための手段】
【０００５】
略コの字形の台座を伏せた上面を餌皿とし、該餌皿の左右に入口と出口を形成する側壁を、少なくとも出口において段差を有するように立設するとともに、前記台座の裏面に、細長い溝をもつ二枚の調節板をスライド可能に設けた接続板を固定し、使用する三脚を合わせて装着できる事を特徴とする小型魚の餌付け器、として課題を解決している。                                                                                    
【考案の効果】
【０００６】
本考案の餌付け器は本当にサビキの針に確実に刺さり、それが証拠に水の中に入れて竿を思い切りしゃくってもサビキの針から餌のオキアミが外れない、ほぼ完璧に餌付け器として使用できる、更にどんなサイズの三脚にも装着が簡単に出来る装置等の効果を有する。          
【図面の簡単な説明】
【０００７】
【図１】本考案の１実施例における外観図
【図２】同図上面図
【図３】側面図
【図４】斜視図
【図５】接続基台座及び調節器側面図
【図６】基台座調節器底面図
【実施例】
【０００８】
以下、図面に示す実施例に従って本考案の実施態様を説明する。
図において、釣り針の付いたサビキが通る入口１と出口３を開口するように右に設ける一対の側壁２を台座ａ上面の餌皿ｂ上に形成し、側壁２により形成される前記出口３と入口１の開口幅の比を略１；７程度に構成し、針の付いたサビキが通る出口３の隙間は３〜７ミリ程度に設定し、台座ａの餌皿ｂに設ける側壁はサビキの糸が入り易くする為に左右どちらか片側の出口３における側壁高さを０〜１０ミリ程度高くしている。また、台座ａに前後には針ガカリ防止壁４を錘下するように設けている。
台座ａの裏面には、図５及び図６に示すように、細長い溝９を穿つ調節板６をスライド出来るように二枚重ねて設け丁度良い位置で蝶ネジ７で固定できるようにし、重ね合わさった調節板６の両端には三脚の突起部に嵌る結合部８を設けて三脚上にセットできるようにするとともに、この調節板6を接続板５に固定し、この接続板5を固定している。
【０００９】
上記の本考案の餌付け器によれば、魚さえ居れば魚は略確実に釣れ、それまでの餌付け器はいくら魚が居てもほとんど魚が釣れなかった問題を解決している。本考案はサビキの針が例えば２０本なら毎回ではないが、２０匹付く時があります、それはほぼ完璧に餌のオキアミがサビキの針に刺さっているから魚が食いついて魚が釣れる。更に餌であるオキアミがサビキの針によりいっそう刺さりやすくする為に解凍したオキアミを軽く絞って汁を出して餌皿に置くだけでよい。
【００１０】
本考案の餌付け器の素材は３ミリ程度のアクリル板を使用、台座も厚さがアクリル板１０ミリ程度物を使う。台座に取り付く調節板或いは接続板の素材はアクリル板、アルミ板、スチール板、ステン板等の物を用いる。尚作り方はアクリル板はライター、アルコールランプ等を使い温めて加工する、アルミ、ステン、スチール等の素材はハサミを用いて加工する。
【符号の説明】
【００１１】
ａ    台座
ｂ    餌皿
１    入口        
２    側壁  
３    出口
４    針ガカリ防止壁
５    接続板  
６    調節板
７    蝶ネジ  
８    三脚に嵌る結合部
９    細長い溝      
【図１】
0003173641.tif 000003
【図２】
0003173641.tif 000004
【図３】
0003173641.tif 000005
【図４】
0003173641.tif 000006
【図５】
0003173641.tif 000007
【図６】
0003173641.tif 000008
【手続補正書】
【提出日】平成23年12月5日(2011.12.5)
【手続補正１】
【補正対象書類名】実用新案登録請求の範囲
【補正対象項目名】全文
【補正方法】変更
【補正の内容】
【実用新案登録請求の範囲】
【請求項１】
コの字形の台座を伏せた上面を餌皿とし、該餌皿の左右に入り口と出口を形成する側壁を、少なくとも出口において段差を有するように立設するとともに、前記台座の裏面に、スライド可能に設けた細長い溝をもつ二枚の調節板のそれぞれに三脚の突起部に嵌る結合部を有し前記細長い溝に通す蝶ネジにより前記調節板を固定して成る小型魚の餌付け器。